(57)【要約】【課題】情報取得支援装置において、ユーザが希望するキーワードに関連する画像を再生する際の操作性を向上させる。【解決手段】Ｗｅｂページ処理部９は、Ｗｅｂページからキーワードを抽出し、キーワード記憶部６に記録する。録画部２は、番組を番組記憶部３に記録する。字幕処理部７は、上記番組中の字幕情報に基づいて、キーワードとの関連位置を求め、Ｗｅｂページ上の上記キーワードと関連付けて、その関連位置から番組を再生させるために必要になる録画リンク先情報を埋め込む。再生制御部１０は、録画リンク先情報が埋め込まれているＷｅｂページに従った画面を表示部１５に表示し、画面上のフォーカスが当てられたキーワードに関連付けて埋め込まれている録画リンク先情報に従って、録画されている番組を再生する。【選択図】図１
2012216929.tif 000002
【特許請求の範囲】
【請求項１】
キーワード記憶部に記憶されているキーワードと関連付けて、番組記憶部に録画されている番組を前記キーワードに関連する関連位置から再生するための録画リンク先情報を記憶するリンク先情報記憶部と、
ユーザによって選択されたキーワードに関連する関連位置から再生するための録画リンク先情報を前記リンク先情報記憶部から取得して、前記番組記憶部に録画されている番組を再生する再生制御部とを備えることを特徴とする情報取得支援装置。
【請求項２】
請求項１記載の情報取得支援装置において、
Ｗｅｂページを取得し、該取得したＷｅｂページをリンク先情報記憶部に記録すると共に、前記Ｗｅｂページからキーワードを抽出して前記キーワード記憶部に記録するＷｅｂページ処理部と、
前記番組記憶部に録画された番組を、前記キーワード記憶部に記録されているキーワードとの関連位置から再生するための録画リンク先情報を前記リンク先記憶部に記録する字幕処理部とを備え、且つ、
前記再生制御部は、前記リンク先情報記憶部に記録されている前記Ｗｅｂページに従った画面を表示部に表示し、前記画面上のユーザによって選択されたキーワードに関連付けて記録されている録画リンク先情報に従って、前記選択されたキーワードとの関連位置から、前記番組記憶部に録画されている番組を再生することを特徴とする情報取得支援装置。
【請求項３】
請求項２記載の情報取得支援装置において、
前記字幕処理部は、前記リンク先情報記憶部に記録されているＷｅｂページに、前記キーワードと関連付けて、前記番組記憶部に録画されている番組を前記関連位置から再生するための録画リンク先情報を埋め込み、
前記再生制御部は、前記画面上のユーザによって選択されたキーワードに関連付けて埋め込まれている録画リンク先情報に従って、前記選択されたキーワードとの関連位置から、前記番組記憶部に録画されている番組を再生することを特徴とする情報取得支援装置。
【請求項４】
請求項２または３記載の情報取得支援装置において、
前記Ｗｅｂページ処理部が取得したＷｅｂページは、キーワードに関連付けてネットワーク上のリンク先を示すリンク先情報が埋め込まれ、
前記再生制御部は、ユーザによって選択されたキーワードに関連付けて録画リンク先情報が記録されていない場合は、前記選択されたキーワードに関連付けて埋め込まれているリンク先情報が示すＷｅｂページを前記表示部に表示することを特徴とする情報取得支援装置。
【請求項５】
請求項４記載の情報取得支援装置において、
前記再生制御部は、前記ユーザによって選択されたキーワードに関連付けて録画リンク先情報およびリンク先情報が埋め込まれている場合は、ユーザが行う操作に従って、前記録画リンク先情報あるいは前記リンク先情報によって示される情報を前記表示部に表示することを特徴とする情報取得支援装置。
【請求項６】
請求項２乃至５の何れか１項に記載の情報取得支援装置において、
データ放送によって送られてくるデータを前記リンク先情報記憶部に記録すると共に、前記データからキーワードを抽出して前記キーワード記憶部に記録するデータ放送処理部を備え、
前記再生制御部は、前記リンク先情報記憶部に記録されている前記データに従った画面を前記表示部に表示し、前記画面上のユーザによって選択されたキーワードに関連付けて記録されている録画リンク先情報に従って、前記選択されたキーワードとの関連位置から、前記番組記憶部に録画されている番組を再生することを特徴とする情報取得支援装置。
【請求項７】
キーワード記憶部に記憶されているキーワードと関連付けて、番組記憶部に録画されている番組を前記キーワードに関連する関連位置から再生するための録画リンク先情報を記憶するリンク先情報記憶部と、再生制御部とを備えたコンピュータが実行する情報取得支援方法であって、
前記再生制御部が、ユーザによって選択されたキーワードに関連する関連位置から再生するための録画リンク先情報を前記リンク先情報記憶部から取得して、前記番組記憶部に録画されている番組を再生することを特徴とする情報取得支援方法。
【請求項８】
キーワード記憶部に記憶されているキーワードと関連付けて、番組記憶部に録画されている番組を前記キーワードに関連する関連位置から再生するための録画リンク先情報を記憶するリンク先情報記憶部を備えたコンピュータを情報取得支援装置として機能させるためのプログラムであって、
前記コンピュータを、
ユーザによって選択されたキーワードに関連する関連位置から再生するための録画リンク先情報を前記リンク先情報記憶部から取得して、前記番組記憶部に録画されている番組を再生する再生制御部として機能させるためのプログラム。
【発明の詳細な説明】
【技術分野】
【０００１】
本発明は、ユーザの情報取得を支援する情報取得支援装置に関する。
【背景技術】
【０００２】
携帯情報機器、ネットワーク技術、放送技術の進歩により、主としてデジタル情報量が爆発的に伸長し、多くの情報がオンデマンドで入手できるようになっている。ＴＣＩ／ＩＰを用いてネットワークを相互に接続したインターネットにおいては、ポータルサイトやニュースサイト等によりヘッドラインを一瞬で把握でき、リンクをたどることにより、よく多くの情報にたどり着くことができる。しかし、インターネットは、文字情報が中心であり、関連する静止画や動画まで見られることは稀である。
【０００３】
一方、インターネットのポータルサイト等とテレビ番組を関連付ける技術として次のような技術が知られている（例えば、特許文献１参照）。特許文献１に記載されている技術は、ポータルサイトやニュースサイトのテキストデータからキーワードを抽出し、そのキーワードに関連する番組を録画しておく。その後、キーワード毎に、録画しておいた番組におけるキーワード出現箇所をマーキングし、再生時には、予め固定的に定められているキーワードの順番で、そのキーワードの出現箇所を再生する。そして、再生中にユーザによってスキップが指示された場合には、次のキーワードの出現箇所を再生する。
【先行技術文献】
【特許文献】
【０００４】
【特許文献１】特開２００５−２９５３７５号公報
【発明の概要】
【発明が解決しようとする課題】
【０００５】
上述した特許文献１に記載されている技術によれば、ポータルサイト上のキーワードに関連する画像を視聴することができる。しかしながら、特許文献１に記載されている技術では、予め定められているキーワードの順番でしかキーワードの出現箇所を再生できず、ユーザが希望するキーワードに関連する画像を見るためには、その画像が再生されるまで、繰り返しスキップ指示を入力しなければならず、操作性が悪いという問題がある。
【０００６】
[本発明の目的]
そこで、本発明の目的は、ユーザが希望するキーワードに関連する画像を見るためには、その画像が再生されるまで、繰り返しスキップ指示を入力しなければならず、操作性が悪いという課題を解決した情報収集支援装置を提供することにある。
【課題を解決するための手段】
【０００７】
本発明にかかる第１の情報取得支援装置は、
キーワード記憶部に記憶されているキーワードと関連付けて、番組記憶部に録画されている番組を前記キーワードに関連する関連位置から再生するための録画リンク先情報を記憶するリンク先情報記憶部と、
ユーザによって選択されたキーワードに関連する関連位置から再生するための録画リンク先情報を前記リンク先情報記憶部から取得して、前記番組記憶部に録画されている番組を再生する再生制御部とを備える。
【０００８】
本発明にかかる情報取得支援方法は、
キーワード記憶部に記憶されているキーワードと関連付けて、番組記憶部に録画されている番組を前記キーワードに関連する関連位置から再生するための録画リンク先情報を記憶するリンク先情報記憶部と、再生制御部とを備えたコンピュータが実行する情報取得支援方法であって、
前記再生制御部が、ユーザによって選択されたキーワードに関連する関連位置から再生するための録画リンク先情報を前記リンク先情報記憶部から取得して、前記番組記憶部に録画されている番組を再生する。
【０００９】
本発明にかかるプログラムは、
キーワード記憶部に記憶されているキーワードと関連付けて、番組記憶部に録画されている番組を前記キーワードに関連する関連位置から再生するための録画リンク先情報を記憶するリンク先情報記憶部を備えたコンピュータを情報取得支援装置として機能させるためのプログラムであって、
前記コンピュータを、
ユーザによって選択されたキーワードに関連する関連位置から再生するための録画リンク先情報を前記リンク先情報記憶部から取得して、前記番組記憶部に録画されている番組を再生する再生制御部として機能させる。
【発明の効果】
【００１０】
本発明によれば、ユーザが希望するキーワードに関連する画像を再生する際の操作性を向上させることができる。
【図面の簡単な説明】
【００１１】
【図１】本発明にかかる情報取得支援装置１００の構成例を示すブロック図である。
【図２】制御部１３の処理例を示すフローチャートである。
【図３】Ｗｅｂページ処理部９の処理例を示すフローチャートである。
【図４】情報ページ記憶部１２の内容例を示す図である。
【図５】データ放送処理部５の処理例を示すフローチャートである。
【図６】字幕処理部７の処理例を示すフローチャートである。
【図７】表示部１５に表示されるＷｅｂページの一例を示す図である。
【図８】Ｗｅｂページへのソースコードの埋め込み処理の一例を説明するための図である。
【図９】再生制御部１０の処理例を示すフローチャートである。
【図１０】再生画面の一例を示す図である。
【図１１】Ｗｅｂページへのソースコードの埋め込み処理の他の例を説明するための図である。
【発明を実施するための形態】
【００１２】
次に、本発明の実施の形態について図面を参照して詳細に説明する。
【００１３】
[本発明の実施の形態]
図１を参照すると、本発明にかかる情報取得支援装置１００の実施の形態は、放送波受信部１と、録画部２と、番組記憶部３と、再生部４と、データ放送処理部５と、キーワード記憶部６と、字幕処理部７と、通信部８と、Ｗｅｂページ処理部９と、再生制御部１０と、関連位置記憶部１１と、情報ページ記憶部１２と、制御部１３と、録画予約情報生成部１４と、ＬＣＤ等の表示部１５と、キーボード等の入力部１６とを備えている。
【００１４】
放送波受信部１は、地上デジタル放送や、衛星放送などの放送波を受信する。録画部２は、制御部１３の指示に従って、番組を番組記憶部３に録画する。ここで、多くの場合、放送波はトランスポートストリームのまま記録されるが、字幕放送の部分は、番組記憶部３上で、別のファイルとして記録するようにしても良い。また、番組はそれぞれ異なるファイル（録画ファイル）に記録する。再生部４は、再生制御部１０の指示に従って番組記憶部３に記録されている番組を再生する。
【００１５】
データ放送処理部５は、制御部１３の指示に従って、データ放送によって送られてくるデータからキーワードを抽出してキーワード記憶部６に記録する機能や、上記キーワードと上記データと番組の録画ファイルのファイル名とを関連付けて情報ページ記憶部１２に記録する機能を有する。
【００１６】
通信部８は、ネットワークＮＷを介してデータを送受信する。Ｗｅｂページ処理部９は、ネットワークＮＷを介してポータルサイトやニュースサイトなど予め定められているサイトにアクセスしてＷｅｂページを取得する機能や、取得したＷｅｂページからキーワードを抽出してキーワード記憶部６に記録する機能や、上記Ｗｅｂページとキーワードと録画ファイル名とを関連付けて情報ページ記憶部１２に記録する機能などを有する。尚、入力部１６からユーザが入力したキーワードと、Ｗｅｂページ処理部９やデータ放送処理部５が抽出したキーワードとは、区別してキーワード記憶部６に記録される。
【００１７】
制御部１３は、ユーザによって入力部１６から入力されたキーワードを録画予約情報生成部１４に渡して録画予約情報の生成を指示する機能や、上記キーワードをキーワード記憶部６に記録する機能や、生成された録画予約情報に基づいて、録画部２、データ放送処理部５、字幕処理部７などを制御する機能を有する。
【００１８】
字幕処理部１１は、録画対象としている番組中の字幕情報に基づいて、キーワード記憶部６に記録されている各キーワードについて、そのキーワードと関連する録画番組の位置（関連位置）を求める機能や、入力部１６から入力されたキーワードについては、そのキーワードと関連位置と録画ファイル名とを関連付けて関連位置記憶部１１に記録する機能や、データ放送処理部５やＷｅｂページ処理部９が抽出したキーワードについては、情報ページ記憶部１２に記録されている情報ページ（Ｗｅｂページや、データ放送のデータ）上の該当キーワードに関連付けて、番組記憶部３に録画されている番組を前記関連位置から再生するための録画リンク先情報を埋め込む機能などを有している。尚、関連位置情報としては、例えば、録画開始時からの経過時間（オフセット時間）や、番組開始からの経過時間などを使用することができ、本実施の形態では、番組開始からの経過時間を使用する。上記した関連位置記憶部１１と情報ページ記憶部１２とによってリンク先情報記憶部が構成される。
【００１９】
再生制御部１０は、入力部１６から入力されるユーザに指示に従って、情報ページ記憶部１２に記録されているＷｅｂページや、データ放送のデータをＷｅｂページ処理部９に渡してそれらに従った画面を表示部１５に表示させる機能や、画面上のフォーカスが当てられているキーワードに関連付けて埋め込まれている録画リンク先情報に従って再生部４を制御し、番組記憶部３に録画されている番組を、上記キーワードとの関連位置から再生させる機能や、元々Ｗｅｂページ等にキーワードに関連付けて埋め込まれていたネットワーク上のリンク先を示すリンク先情報（ＵＲＬ等）に従ってデータを取得し、表示部１５に表示する機能などを有する。
【００２０】
尚、情報取得支援装置１００は、コンピュータによって実現可能であり、コンピュータによって実現する場合は、例えば、次のようにする。コンピュータを、情報取得支援装置１００として機能させるためのプログラムを記録したディスク、半導体メモリ、その他の記録媒体を用意し、コンピュータに上記プログラムを読み取らせる。コンピュータは、読み取ったプログラムに従って自身の動作を制御することにより、自コンピュータ上に、録画部２、再生部４、データ放送処理部５、字幕処理部７、Ｗｅｂページ処理部９、再生制御部１０、制御部１３、録画予約情報生成部１４を実現する。
【００２１】
［実施の形態の動作の説明］
次に、各図を参照して本実施の形態の動作について詳細に説明する。
【００２２】
先ず、番組の録画時の動作について説明する。ユーザは、興味を持った内容に関するキーワードを入力部１６から入力する。制御部１３は入力されたキーワードを、それが入力部１６から入力されたものであることが分かるような形でキーワード記憶部６に記録すると共に、上記キーワードを録画予約情報生成部１４に渡し、録画予約情報を生成させる（図２のステップＳ２１）。録画予約情報生成部１４は、キーワードが入力されると、そのキーワードが属するジャンルが予め定められているジャンル（ニュース、天気予報、スポーツ等）の内のどれに属するかを求め、更に、電子番組表（ＥＰＧ）に載っている番組の中からジャンルが同じ番組を選択し、選択した番組を録画するための録画予約情報（録画開始時刻、終了時刻、番組名、チャネル番号等を含む）を生成する。例えば、ユーザが入力したキーワードが「政府・日銀介入」であれば、それが属するジャンルがニュースであると判断し、電子番組表に乗っているニュース番組を予約対象番組として選択する。
【００２３】
その後、制御部１３は、録画予約情報によって示されている録画開始時刻になると、放送波受信部１および録画部２を制御して、番組の録画を開始させる（ステップＳ２２がＹＥＳ、Ｓ２３）。録画部２は、番組を録画する際には、番組毎のファイルを生成し、そのファイルに番組を録画する。ファイルのファイル名としては、録画開始日時や、番組名等を使用することができる。
【００２４】
その後、制御部１３は、Ｗｅｂページ処理部９、データ放送処理部５、字幕処理部７を起動させる（ステップＳ２４〜Ｓ２６）。
【００２５】
Ｗｅｂページ処理部９は、起動されると、図３のフローチャートに示すように、ネットワークＮＷを介して予め定められているＷｅｂページを取得する（ステップＳ３１）。ここで、取得するＷｅｂページは、ユーザが任意に設定できるものであり、ポータルサイトの所定ページや、ニュースサイトの所定ページなどを設定できる。
【００２６】
その後、Ｗｅｂページ処理部９は、上記Ｗｅｂページからキーワードを抽出してキーワード記憶部６に記録する（ステップＳ３２）。ここで、キーワードをキーワード記憶部６に記録する際には、それがＷｅｂページ処理部９によって記録されたものであることが分かる形式で記録する。更に、Ｗｅｂページ処理部９は、上記Ｗｅｂページ（ソースコード）と、上記抽出したキーワードと、番組を録画しているファイルのファイル名とを関連付けて情報ページ記憶部１２に記録する（ステップＳ３３）。図４は、Ｗｅｂページとキーワードと録画ファイル名とが情報ページ記憶部１２に関連付けて記録されている様子を示している。
【００２７】
また、データ放送処理部５は、起動されると、図５のフローチャートに示すように、トランスポートストリームのデータ放送部分からデータを取得し、それに含まれているキーワードを抽出してキーワード記憶部６に記録する（ステップＳ５１、Ｓ５２）。その際、データ放送処理部５によって記録されたキーワードであることが分かる形式で記録する。その後、データ放送処理部５は、上記取得したデータと、それから抽出したキーワードと、番組を録画しているファイルのファイル名とを関連付けて情報ページ記憶部１２に記録する（ステップＳ５３）。
【００２８】
また、字幕処理部７は、起動されると、図６のフローチャートに示すように、放送波に含まれる字幕情報を取り出し、キーワード記憶部６に記録されているキーワードが存在するか否かを調べる（ステップＳ６１、Ｓ６２）。尚、字幕情報にキーワードと相関性が高いものや、類似性が高いものが含まれている場合も、キーワードが存在すると判定するようにすることもできる。
【００２９】
そして、キーワードが存在する場合（ステップＳ６３）は、そのキーワードと関連位置（番組の先頭部分からの経過時間）とを関連付けて保持し（ステップＳ６４）、その後、ステップＳ６１の処理に戻って次の字幕情報を取得する。これに対して、キーワードが存在しない場合（ステップＳ６３がＮＯ）は、直ちにステップＳ６１の処理に戻る。
【００３０】
その後、字幕処理部７は、制御部１３から停止指示が入力されるまで（ステップＳ６５がＹＥＳとなるまで）、上述した処理を繰り返し行う。そして、制御部１３から停止指示が加えられると、ステップＳ６６の処理を行う。
【００３１】
ステップＳ６６では、次のような処理を行う。先ず、キーワード記憶部６に記録されているキーワードの内の、入力部１６から入力されたキーワードについては、そのキーワードに関連付けて関連位置を保持していれば、そのキーワードと関連位置と番組を録画しているファイル名とを関連付けて関連位置記憶部１１に記録する。
【００３２】
また、キーワード記憶部６に記録されているキーワードの内、Ｗｅｂページ処理部９によって記録されたキーワードについては、情報ページ記憶部１２に記録されているＷｅｂページに、録画番組を上記キーワードとの関連位置から再生させるために必要になる録画リンク先情報を埋め込む。
【００３３】
今、例えば、情報ページ記憶部１２に記録されているＷｅｂページが図７に示すものであるとして、録画リンク先情報の埋め込み処理を詳しく説明すると、次のようになる。
【００３４】
図８（Ａ）は、図７の行７１「政府・日銀が円売り介入」の元のソースコードを示している。上記録画リンク先情報の埋め込み処理では、図８（Ａ）に示すソースコードに変えて、同図（Ｂ）の示すコードを埋め込む。尚、他の行においても、同様のコードの差し替えを行う。
【００３５】
具体的には、フォーカスが当たっている部分が選択されるとinvoke_select01という名前で定義されたオブジェクトを起動し、起動されたオブジェクトは、invoke_slect.jamという名前のアプリケーションプログラムに、下記のパラメータ８１〜８５を渡すように置き換えられている。ここで、上記アプリケーションプログラムは、再生制御部１０に相当する。
【００３６】
ここで、第１パラメータ８１は、録画がない場合に開くべきページであり、元ソースと同じURLである。第２パラメータ８２は、キーワードである。第３パラメータ８３以降は、録画ファイル名と先頭からのオフセット時間（関連位置）である。実際の動作では、第３パラメータ以降は、録画時にひとつづつ追加されることになる。
【００３７】
また、キーワード記憶部６に記録されているキーワードの内の、データ放送処理部５によって記録されているキーワードについては、データ放送波から抽出したデータに、上記したＷｅｂページに埋め込んだソースコードと同様のコードを埋め込む。
【００３８】
以上が、ステップＳ６６で行う処理の詳細である。
【００３９】
再び、図２に戻り、制御部１３は、録画終了時刻になると（ステップＳ２７がＹＥＳ）、録画予約されている全ての番組を録画しているか否かを判定する（ステップＳ２８）。そして、録画が終了していない場合（ステップＳ２８がＹＥＳ）は、ステップＳ２２の処理に戻り、録画が終了している場合（ステップＳ２８がＮＯ）は、放送波受信部１および録画部２の動作を停止させる（ステップＳ２９）。尚、ステップＳ２７で録画終了時刻なったと判断した場合には、キーワード記憶部６に記録されているキーワードの内、Ｗｅｂページ処理部９およびデータ放送処理部５によって記録されたキーワードを削除するようにしても良い。
【００４０】
次に、録画してある番組の再生時の動作について、図９のフローチャートを参照して説明する。
【００４１】
先ず、再生制御部１０は、情報ページ記憶部１２に記録されているＷｅｂページ、データ放送の画面を用いて再生を行うのか、ユーザが入力部１６から入力したキーワードの一覧を用いて再生を行うのかを問い合わせる問合せ文を表示部１５に表示する（ステップＳ９１）。
【００４２】
そして、ユーザがキーワード一覧を利用して再生を行うことを指示した場合（ステップＳ９２がＮＯ）は、関連位置記憶部１１に記録されているキーワードの一覧を表示部１５に表示する（ステップＳ９３）。ユーザは、キーワードの一覧が表示されると、関連部分を見たいキーワードを選択する。これにより、再生制御部１０は、ユーザが選択したキーワードと関連付けて記録されているファイル名及び関連位置を関連位置記憶部１１から入力し、入力した情報を再生部４に渡し、該当する位置からの再生を指示する（ステップＳ９４）。これにより、再生部４は、該当するファイルに記録されている番組を再生位置から再生する。その際、再生時間を一定時間とすることができる。尚、キーワードに関連付けて関連位置が複数存在する場合には、一番前の関連位置から順に再生を行う。そして全ての関連位置について再生が終了したら、ステップＳ９３の処理に戻る。制御部１３は、上述した処理をユーザによって再生終了が指示されるまで（ステップＳ９５がＹＥＳとなるまで）、繰り返し行う。
【００４３】
これに対して、情報ページ記憶部１２に記録されている情報ページ（Ｗｅｂページやデータ放送のデータ）を利用して再生を行うことが指示された場合（ステップＳ９２がＹＥＳ）は、各情報ページ毎に、その情報ページに関連付けて記録されているキーワードを表示部１５に表示する（ステップＳ９６）。ユーザは、その表示を見て、録画再生に利用する情報ページを選択する。
【００４４】
そして、ユーザによって再生に利用する情報ページが選択されると、関連位置記憶部１１から選択された情報ページを入力してＷｅｂページ処理部９に渡す（ステップＳ９７）。Ｗｅｂページ処理部９は、渡された情報ページに従った画面を表示部１５に表示する。
【００４５】
今、ユーザによってＷｅｂページが選択され、図７に示すような画面が表示部１５に表示されたとする。尚、この画面は、図８（Ｂ）に示すような置き換えが行われた後の、Ｗｅｂページによって表示されたものである。ユーザは、この表示を見て、キーワード７１「政府・日銀が円売り介入」に関連する番組の関連部分を再生させたい場合には、その部分にフォーカスを当て、画面下方に設けられている「録画へ」ボタンを操作する。また、キーワード７１に関連するネットワーク上の情報（元々埋め込まれていたＵＲＬによって示される情報）を見たい場合には、画面下方に設けられている「選択」ボタン或いは「開く」ボタンを操作する。
【００４６】
上記した操作が行われると、Ｗｅｂページ処理部９は、フォーカスが当てられている部分のオブジェクトに従って、前述した各パラメータ８１〜８５を、再生制御部１０に渡す（ステップＳ９８）。これにより、再生制御部１０は、渡されたパラメータと、操作されたボタンとに応じた処理を行う（ステップＳ９９）。
【００４７】
即ち、「録画へ」ボタンが操作された場合には、ユーザによって選択されたページ情報に関連付けて情報ページ記憶部１２に記録されているファイル名と第３パラメータ以降のパラメータ（関連位置）を再生部４に渡し、該当する位置からの再生を指示する。これにより、表示部１５に図１０に示すような画面が表示され、キーワードに関連する部分の録画内容が再生される。尚、図１０に示す画面の下部には、次の関連位置へスキップするための「ＳＫＩＰ」ボタンや、再生を一時停止させるための「一時停止」ボタンや、図７の画面に戻るための「戻る」ボタン等が設けられており、ユーザは、これらのボタンを操作することにより、次の関連位置まで番組をスキップさせたり、再生を一時停止させたり、図７の画面に戻ることができる。また、「選択」ボタンや「開く」ボタンが選択された場合には、第１パラメータ８１によって、元々のＷｅｂページに埋め込まれていたＵＲＬからＷｅｂページを取得し、表示部１５に表示させる。
【００４８】
また、再生制御部１０は、入力部１６を介してユーザによって、情報ページ毎のキーワードを表示することが指示された場合（ステップＳ１００がＮＯ）は、ステップＳ９６の処理に戻り、処理終了が指示された場合（ステップＳ１００がＹＥＳ）は、その処理を終了する。
【００４９】
尚、上述した説明では、図６のステップＳ６６で行う処理の具体例を図８を用いて説明したが、次のようにすることもできる。
【００５０】
図１１（Ａ）は、図７の行７１「政府・日銀が円売り介入」の元のソースコードを示している。ステップＳ６６における録画リンク先情報の埋め込み処理では、図１１（Ａ）に示すソースコードに変えて、同図（Ｂ）の示すコードを埋め込む。更に、http://127.0.0.1/invoke_select01.htmlにローカルホスト（ファイル）を作成する。その中では、同図（Ｃ）のようなローカル定義した記述を埋め込む。同図（Ｃ）のような埋め込み内容で、視聴用アプリケーションプログラムの起動のための手段としてinvoke()という関数を定義し、その引数として、第１引数は、起動させる視聴用アプリケーション名、第２引数以降は、視聴用アプリケーションプログラムに渡す引数で、第２引数がキーワード、第３引数以降は、録画ファイル名と関連位置（先頭からのオフセット時間）と定義する。実際の動作では、第３引数以降は、録画時にひとつづつ追加されることになる。また、if()の中のS1、S2、S3は図７の「録画へ」,「選択」「開く」のボタンに対応しているように定義する。尚、上記視聴用アプリケーションプログラムは、再生制御部１０に該当する。
【００５１】
従来、実装であれば、S2またはS3が押されると、フォーカスが当たっている部分に対応する<A href 〜>が反応するようにブラウザは設計されているが、この例ではS1、S2または、S3が押された場合には、同じ反応となるように実装する。S1、S2または、S3が押された場合、http://127.0.0.1/invoke_select01.htmlが開かれて、S2,S3であれば埋め込み前のソースと同じリンク先のページを開く動作を行い、S1であれば、視聴用アプリケーションプログラムを記述された引数を伴って起動するように構成する。視聴用アプリケーションは、引数を解釈して、図１０に示すような再生画面を表示部１５に表示する。
【００５２】
尚、上述した実施の形態では、録画中に字幕処理部７が関連箇所の抽出処理などを行ったが、番組記憶部３に録画済みの番組を利用して字幕処理部７が前述した処理と同様の処理を行うようにしてもよい。
【００５３】
［実施の形態の効果］
本実施の形態によれば、ユーザが希望するキーワードに関連する画像を再生する際の操作性を向上させることができる。その理由は、Ｗｅｂページ上の各キーワードに関連付けて、録画されている番組をそのキーワードに関連する部分から再生するために必要になる録画リンク先情報を埋め込む字幕処理部７と、録画リンク先情報が埋め込まれているＷｅｂページに従った画面を表示部に表示し、上記画面上のフォーカスが当てられたキーワードに関連付けて埋め込まれている録画リンク先情報に従って、上記フォーカスが当てられているキーワードとの関連位置から、番組記憶部３に録画されている番組を再生する再生制御部１０とを備えているからである。
【００５４】
また、本実施の形態は、録画リンク先情報が埋め込まれたＷｅｂページには、元々Ｗｅｂページにキーワードに関連付けて埋め込まれていた、ネットワーク上のリンク先を示すリンク先情報が埋め込まれているので、Ｗｅｂページの元々のリンク先の情報も表示することができる。
【符号の説明】
【００５５】
１      放送波受信部
２      録画部
３      番組記憶部
４      再生部
５      データ放送処理部
６      キーワード記憶部
７      字幕処理部
８      通信部
９      Ｗｅｂページ処理部
１０    再生制御部
１１    関連位置記憶部
１１    字幕処理部
１２    情報ページ記憶部
１３    制御部
１４    録画予約情報生成部
１５    表示部
１６    入力部
１００  情報取得支援装置
ＮＷ    ネットワーク
【図１】
2012216929.tif 000003
【図２】
2012216929.tif 000004
【図３】
2012216929.tif 000005
【図４】
2012216929.tif 000006
【図５】
2012216929.tif 000007
【図６】
2012216929.tif 000008
【図８】
2012216929.tif 000009
【図９】
2012216929.tif 000010
【図１１】
2012216929.tif 000011
【図７】
2012216929.tif 000012
【図１０】
2012216929.tif 000013